(57)【要約】【課題】デジタルカメラ機能付き双眼鏡の防水性能、画像表示装置の視認性、及び操作性を向上する。【解決手段】双眼鏡１０の右目用対物レンズ１１Ｒ、左眼用対物レンズ１１Ｌの間に撮影用対物レンズ１３を配置する。撮影用対物レンズを介して撮影した画像または動画像を表示するための画像表示装置１４を双眼鏡１０のケーシング底面に配置する。双眼鏡１０のケーシング底面にレリーズスイッチ等の操作スイッチを設ける。使用時、操作スイッチがケーシング底面の右手側に位置するように配置する。【選択図】        図１
2004170579.tif 000002
【特許請求の範囲】
【請求項１】
デジタルカメラ機能を備えた双眼鏡であって、
ケーシングと、
前記デジタルカメラ機能を用いて撮影された画像を表示する画像表示装置と、
前記デジタルカメラ機能に関わるスイッチとを備え、
前記画像表示装置及び前記スイッチが前記ケーシングの底面側に設けられている
ことを特徴とするデジタルカメラ機能付き双眼鏡。
【請求項２】
使用時において前記スイッチが親指で操作可能な位置に配置されることを特徴とする請求項１に記載のデジタルカメラ機能付き双眼鏡。
【請求項３】
前記ケーシングの底面側には、三脚を取り付けるための三脚取付部が設けられている特徴とする請求項１に記載のデジタルカメラ機能付き双眼鏡。
【請求項４】
前記ケーシングが、前記双眼鏡の一対の光学系のうちの第１の光学系を保持する第１のケーシングと、前記一対の光学系のうちの第２の光学系を保持し前記第１のケーシングに対し相対的に変位可能な第２のケーシングを有し、前記第１のケーシングに対する前記第２のケーシングの変位により前記双眼鏡の眼幅調整が行われることを特徴とする請求項１に記載のデジタルカメラ機能付き双眼鏡。
【請求項５】
前記第１のケーシングが前記第２のケーシングに摺動自在に嵌入され、前記第２のケーシングの前記第１のケーシングが嵌入される開口部において、前記底面とは反対側の上面に対応する開口部内側には、前記開口部の縁に沿って防水パッキングが設けられることを特徴とする請求項４に記載のデジタルカメラ機能付き双眼鏡。
【請求項６】
前記画像表示装置は収納位置と使用位置とに移動自在に支持される一方、前記ケーシングには前記画像表示装置の厚み分の凹部が形成され、前記画像表示装置が前記収納位置にあるとき、前記画像表示装置の背面と前記ケーシングの底面が略同一面状となることを特徴とする請求項１に記載のデジタルカメラ機能付き双眼鏡。
【発明の詳細な説明】
【０００１】
【発明の属する技術分野】
本発明は、デジタルカメラ機能が搭載された双眼鏡に関する。
【０００２】
【従来の技術】
デジタルカメラの機能と双眼鏡の機能が一体化されたデジタルカメラ機能付き双眼鏡が知られている。デジタルカメラ機能付き双眼鏡では、接眼レンズを通して複眼視される映像と略同一の画像を液晶モニタに表示できるとともにデジタル画像として記録可能である。従来のデジタルカメラ機能付き双眼鏡において、液晶モニタやレリーズスイッチ等の操作スイッチは双眼鏡本体の上面に設けられている。
【０００３】
【発明が解決しようとする課題】
双眼鏡は通常野外で使用されることが多いため防水性・防塵性を備えていることが望まれる。しかし、液晶モニタや操作スイッチが双眼鏡本体の上面に設けられている従来の構造では防水・防塵機能に対して不利である。また、双眼鏡本体に搭載された液晶モニタは、野外では日光等の外光の影響で明るい場所では画面が見づらいと言う問題がある。
【０００４】
本発明は、防水性能の高いデジタルカメラ機能付き双眼鏡を得ることを目的としている。また、本発明は、デジタルカメラ機能付き双眼鏡における画像表示装置の視認性の向上を目的としている。また更に、本発明は操作性の高いデジタルカメラ機能付き双眼鏡を得ることを目的としている。
【０００５】
【課題を解決するための手段】
本発明のデジタルカメラ機能付き双眼鏡は、ケーシングと、デジタルカメラ機能を用いて撮影された画像を表示する画像表示装置と、デジタルカメラ機能に関わるスイッチとを備え、画像表示装置及びスイッチがケーシングの底面側に設けられることを特徴としている。
【０００６】
使用時においてスイッチが親指で操作可能な位置に配置されることとにより高い操作性が得られる。また画像表示装置が設けられた底面に三脚を取り付けるための三脚取付部が設けられていることにより、双眼鏡を固定して撮影及び観察を行なうことができるとともに、三脚利用時にも、画像表示装置に表示される画像が見やすい。
【０００７】
ケーシングは、双眼鏡の一対の光学系のうちの第１の光学系を保持する第１のケーシングと、一対の光学系のうちの第２の光学系を保持し第１のケーシングに対し相対的に変位可能な第２のケーシングを有し、第１のケーシングに対する第２のケーシングの変位により双眼鏡の眼幅調整を行うことができる。
【０００８】
このとき第１のケーシングは、第２のケーシングに摺動自在に嵌入され、第２のケーシングの第１のケーシングが嵌入される開口部において、上記底面とは反対側の上面に対応する開口部内側には、開口部の縁に沿って防水パッキングが設けられることが好ましい。これにより、眼幅調整機能を備えた双眼鏡においてもより高い防水性能や防塵性能を得ることができる。
【０００９】
また、画像表示装置は収納位置と使用位置とに移動自在に支持される一方、ケーシングには画像表示装置の厚み分の凹部が形成され、画像表示装置が収納位置にあるとき、画像表示装置の背面とケーシングの底面が略同一面状となることが好ましい。この構成によれば、非使用時において、画像表示装置が邪魔にならず、携帯や鞄などへの収納がし易い上、机などに置く際も安定した姿勢を保つことができる。
【００１０】
【発明の実施の形態】
以下、本発明の実施の形態を、図面を参照して説明する。
図１は、本発明の一実施形態であるデジタルカメラ機能付き双眼鏡を対物レンズ側から見た正面図であり、図２はその底面図である。また、図３、図４、図５はそれぞれ図１のデジタルカメラ機能付き双眼鏡のそれぞれ背面図（接眼レンズ側）、上面図、側面図である。以下図１〜図５を参照して本実施形態のデジタルカメラ機能付き双眼鏡について説明する。
【００１１】
デジタルカメラ機能付き双眼鏡１０は、本体１０Ａと、眼幅調整のために本体１０Ａに対し横幅方向（矢印Ａ方向）に相対的に変位可能である可動部１０Ｂとからなる。双眼鏡本体１０Ａのケーシングは、可動部１０Ｂのケーシングの開口部１０ｂに摺動自在に嵌入可能な嵌入部１０ａを有する。嵌入部１０ａの外殻は、可動部１０Ｂ内に嵌入されるため本体１０Ａの主要部のケーシングの寸法よりも小さく段部１０ｃにより主要部と連結される。双眼鏡１０を使用しないときには、本体１０Ａ及び可動部１０Ｂは眼幅が最小となる位置まで縮められ、嵌入部１０ａは可動部１０Ｂの内側に全て嵌入され、可動部１０Ｂの開口部１０ｂは、双眼鏡本体１０Ａの段部１０ｃに当接される。なお、双眼鏡１０が通常に使用される状態、すなわち、双眼鏡本体１０Ａの厚さ方向（図２中、矢印Ａ方向と直交する上下方向）を観察者の親指と他の指とで挟んで保持し、撮影光学系の光軸が略水平方向に向けけられた観察状態においては、親指が当接している、重力方向に向く面が双眼鏡１０の底面、その反対側の他の指が当接する面が双眼鏡１０の上面となる。
【００１２】
本体１０Ａには、右眼用の観察光学系とデジタルカメラ用の撮影光学系が搭載され、可動部１０Ｂには、左眼用の観察光学系が搭載される。すなわち本体１０Ａの正面には、双眼鏡用の対物レンズ１１Ｒ、及びデジタルカメラ用（撮影用）の対物レンズ１３が設けられ、背面には対物レンズ１１Ｒに対応する接眼レンズ１２Ｒ（図３参照）が設けられる。一方、可動部１０Ｂの正面には双眼鏡用の対物レンズ１１Ｌが設けられ、その背面には対物レンズ１１Ｌに対応する接眼レンズ１２Ｌが設けられる。なお、デジタルカメラ用の対物レンズ１３は対物レンズ１１Ｌ、１１Ｒの間に配置され、使用されていないときは、レンズバリアにより閉じられている。レンズバリアの開閉は双眼鏡本体１０Ａの正面に設けられたスライドレバー１３Ｓを操作することにより行われる。
【００１３】
双眼鏡本体１０Ａのケーシングの底面（操作面）には、例えばＬＣＤ（ｌｉｑｕｉｄ  ｃｒｙｓｔａｌ  ｄｉｓｐｌａｙ）等からなる画像表示部１４Ｄ（図３参照）を備えた画像表示装置１４が設けられる。ケーシング底面において画像表示装置１４の後方（接眼部より）には、双眼鏡用の光学系及びデジタルカメラ用の光学系に連動し、それぞれの光学系の合焦を行うための転輪１５が設けられる。画像表示装置１４は、パネル状に成形されており、双眼鏡ケーシングの底面と正面の稜線に平行な軸を回転軸に、使用位置と収納位置とに回動自在である（図５の矢印Ｂ）。すなわち、画像表示装置１４が使用位置にあるとき、画面（ＬＣＤ１４Ｄ）は背面方向（接眼レンズ側）に向けて略直立される。また、画像表示装置１４が収納位置にあるとき、画像表示部１４Ｄの画面は双眼鏡本体１０Ａのケーシング底面に臥せられる。図７〜図１０に画像表示装置１４が収納位置にあるときの双眼鏡１０の正面図、底面図、背面図、及び側面図を示す。ケーシング底面の画像表示装置１４が臥せられる位置には画像表示装置１４の厚み分の凹部が形成されており、画像表示装置１４が収納位置にあるとき、画像表示装置１４はこの凹部に収容され、画像表示装置１４の背面がケーシング底面と略同一面状となる。なお、画像表示部１４Ｄには、撮影された画像、あるいはデジタルカメラを通した動画像が表示される。
【００１４】
図２の底面図に示されるように、双眼鏡本体１０Ａの図中左側にはレリーズスイッチ１６が設けられる。本体１０Ａのケーシング底面において、レリーズスイッチ１６よりも前側（正面より）には、メニューキー１７、ディスプレイキー１８、及び上下左右方向に対応する４つの矢印キー１９Ｕ、１９Ｄ、１９Ｌ、１９Ｒと、これらに囲まれるＯＫキー２０とが設けられる。すなわち、ユーザがデジタルカメラ機能付き双眼鏡１０を使用するために右手で本体１０Ａを支持したとき、右手の親指はスイッチ群１６〜２０を操作可能な位置に配置され、ユーザは双眼鏡を覗きながら親指でデジタルカメラのレリーズスイッチ１６を操作することができる。なお、双眼鏡１０の可動部１０Ｂの底面には三脚取付部２１が設けられ、三脚取付部２１には三脚穴２１ａが設けられている。すなわち、双眼鏡１０は、三脚取付部２１を介して図示しない三脚の雲台に固定することができる。
【００１５】
一方、図４に示すように、双眼鏡１０のケーシング上面には、スイッチ類や画像表示機器などの電気的な部品は一切設けられていないが、後述するように、上面において可動部１０Ｂのケーシングの開口部１０ｂの内側には、縁に沿って破線で示されるように防水用のパッキング２２が設けられる。すなわち、パッキング２２は嵌入部１０ａと開口部１０ｂとの隙間から双眼鏡１０の内部に水や埃が侵入するのを防止する。
【００１６】
なお、双眼鏡本体１０Ａの側端部にはＵＳＢ／ビデオ出力端子が設けらておりＵＳＢ／ビデオ出力端子は、端子カバー３０により覆われている。また、可動部１０Ｂの側端部には、電池格納室が設けられており電池格納室は、電池カバー３１により覆われている。
【００１７】
次に図６を参照して、パッキング２２のについて説明する。図６は、図１の正面図の左側のみを拡大し、パッキング２２の周辺のケーシングを切断面として示した拡大部分断面図である。
【００１８】
図６に示されるように、可動部１０Ｂのケーシングの開口部１０ｂの内側には、開口部１０ｂの縁に沿って溝２３が形成されており、溝２３内には、一定の弾性あるいは可撓性を有する防水又は防塵用のパッキング２２（例えばシリコーンゴム等）が嵌め込まれている。パッキング２２は嵌入部１０ａの外側面に常に密着して水密性を保つ。
【００１９】
以上のように、本実施形態によれば、操作スイッチ及び画像表示装置が双眼鏡のケーシングの底面側に設けられているので、雨や水しぶき、あるいは埃等のケーシング内への侵入を防止でき、防水性能及び防塵性能において優れている。また、画像表示装置が双眼鏡のケーシング底面側に設けられているので双眼鏡自体が庇の役割を果たし、太陽光等の外光の影響を受けることなく画像表示装置を見ることができ、画像表示装置の視認性が向上する。また、本実施形態のデジタルカメラ機能付き双眼鏡においては、レリーズスイッチ等の操作スイッチや転輪が双眼鏡本体のケーシング底面の右手側に設けられているので、スイッチ類の操作及び転輪の操作を利き手（右手）の親指のみで行うことができ操作性が高い。
【００２０】
また、本実施形態によれば、非使用時、すなわち画像表示装置が収納位置にあるときは、画像表示装置の背面とケーシングの底面とが略同一面状となるので、非使用時において、画像表示装置が邪魔にならず、携帯や鞄などへの収納がし易い上、鞄などに収納し易い上、机などに置く際も安定した姿勢を保つことができ、利便性が良い。
【００２１】
【発明の効果】
以上のように、本発明によれば、防水性能の高いデジタルカメラ機能付き双眼鏡を得ることができるとともに、デジタルカメラ機能付き双眼鏡における画像表示装置の視認性を向上できる。また更に、本発明によれば操作性の高いデジタルカメラ機能付き双眼鏡を得ることができる。
【図面の簡単な説明】
【図１】本発明の一実施形態であるデジタルカメラ機能付き双眼鏡の対物レンズ側からの正面図である。
【図２】図１に示された双眼鏡の底面図である。
【図３】図１に示された双眼鏡の接眼レンズ側からの背面図である。
【図４】図１に示された双眼鏡の上面図である。
【図５】図１に示された双眼鏡の側面図である。
【図６】図１の左側領域の拡大部分断面図である。
【図７】画像表示装置が収納位置にあり、眼幅が最小にされた双眼鏡の正面図である。
【図８】画像表示装置が収納位置にあり、眼幅が最小にされた双眼鏡の底面図である。
【図９】画像表示装置が収納位置にあり、眼幅が最小にされた双眼鏡の背面図である。
【図１０】画像表示装置が収納位置にあり、眼幅が最小にされた双眼鏡の側面図である。
【符号の説明】
１０  デジタルカメラ機能付き双眼鏡
１０Ａ  本体
１０Ｂ  可動部
１４  画像表示装置
１４Ｄ  画像表示部（ＬＣＤ）
１６〜２０  操作スイッチ群
【図１】
2004170579.tif 000003
【図２】
2004170579.tif 000004
【図３】
2004170579.tif 000005
【図４】
2004170579.tif 000006
【図５】
2004170579.tif 000007
【図６】
2004170579.tif 000008
【図７】
2004170579.tif 000009
【図８】
2004170579.tif 000010
【図９】
2004170579.tif 000011
【図１０】
2004170579.tif 000012